【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
サブフレーム中で、複数のコンポーネントキャリア（ＣＣ）上での送信に関連するハイブリッド自動再送要求（ＨＡＲＱ）フィードバックを報告するためのＨＡＲＱペイロードのサイズを検出することと、
スケジューリング要求（ＳＲ）、周期的チャネル状態情報（Ｐ−ＣＳＩ）報告、またはそれらの組合せのうちの少なくとも１つが前記サブフレーム中に含まれるべきであると決定することと、
アップリンク制御メッセージのサイズとしきい値との比較に少なくとも部分的に基づいて物理アップリンク制御チャネル（ＰＵＣＣＨ）フォーマットのセットからＰＵＣＣＨフォーマットを選択することと、ここにおいて、前記アップリンク制御メッセージが、前記ＨＡＲＱペイロードと前記ＳＲまたは前記Ｐ−ＣＳＩ報告のうちの少なくとも１つのためのペイロードとを備える、
前記選択されたＰＵＣＣＨフォーマットを使用して前記サブフレーム中で前記アップリンク制御メッセージを送信することと
を備える、方法。
【請求項２】
ＰＵＣＣＨフォーマットの前記セットが、１つのＣＣのためのＨＡＲＱフィードバックを報告することに関連するＰＵＣＣＨフォーマットの第１のセット、最大５つのＣＣのためのＨＡＲＱフィードバックを報告することに関連するＰＵＣＣＨフォーマットの第２のセット、または６つ以上のＣＣのためのＨＡＲＱフィードバックを報告することに関連するＰＵＣＣＨフォーマットの第３のセットを備える、請求項１に記載の方法。
【請求項３】
前記アップリンク制御メッセージの前記サイズが前記しきい値よりも大きいとき、前記ＰＵＣＣＨフォーマットを選択することが、ＰＵＣＣＨフォーマットの前記セットからの少なくとも１つの他のＰＵＣＣＨフォーマットよりも大きい容量を有するＰＵＣＣＨフォーマットを選択することを備え、
特に、ここにおいて、前記しきい値が、２２ビットのサイズを有する、請求項１に記載の方法。
【請求項４】
前記ＵＥのために構成された２つ以上のＣＣのためのＰ−ＣＳＩ報告で前記ＨＡＲＱペイロードを多重化すること、ここにおいて、ＳＲまたはＰ−ＣＳＩ報告のうちの少なくとも１つが、前記サブフレーム中に含まれるべきであると決定することが、前記ＵＥのために構成された前記２つ以上のＣＣのための前記Ｐ−ＣＳＩ報告を識別することを備える、
をさらに備える、請求項１に記載の方法。
【請求項５】
前記ＳＲが存在すると決定され、前記アップリンク制御メッセージが、前記ＨＡＲＱペイロードと前記ＳＲのためのペイロードとを備える、
または、ここにおいて、前記ＳＲおよび前記Ｐ−ＣＳＩ報告が存在すると決定され、前記アップリンク制御メッセージが、前記ＨＡＲＱペイロードと、前記ＳＲのためのペイロードと、前記Ｐ−ＣＳＩ報告のためのペイロードとを備える、請求項１に記載の方法。
【請求項６】
前記Ｐ−ＣＳＩ報告が、前記ＵＥのために構成されたＣＣのための複数のＰ−ＣＳＩプロセスからの少なくとも１つのＰ−ＣＳＩプロセスからの報告、前記ＵＥのために構成されたＣＣのための複数のＰ−ＣＳＩサブフレームセットからの少なくとも１つのＰ−ＣＳＩサブフレームセットのためのＰ−ＣＳＩプロセスからの報告、またはそれらの組合せを備える、請求項１に記載の方法。
【請求項７】
前記ＳＲまたは前記Ｐ−ＣＳＩ報告のうちの少なくとも１つが前記サブフレーム中に含まれるべきであると決定することが、
Ｐ−ＣＳＩ報告のセットからのＰ−ＣＳＩ報告のサブセットを報告することを決定すること
を備え、
特に、ここにおいて、Ｐ−ＣＳＩ報告のセットからのＰ−ＣＳＩ報告のサブセットを報告することを決定することが、
Ｐ−ＣＳＩ報告タイプに基づいてＰ−ＣＳＩ報告に優先度を付けること、前記優先度を付けることが、前記ＵＥのために構成されたＣＣ内で、または前記ＵＥのために構成されたＣＣにわたって、あるいはそれらの組合せで実行される、
を備える、
または、特に、ここにおいて、Ｐ−ＣＳＩ報告のセットからのＰ−ＣＳＩ報告のサブセットを報告することを決定することが、
Ｐ−ＣＳＩ報告タイプに基づいて優先度を付け、その後、ＣＳＩプロセス識別情報に基づいて優先度を付け、その後、ＣＣインデックスに基づいて優先度を付け、その後、サブフレームセットインデックスに基づいて優先度を付けること
を備える、請求項１に記載の方法。
【請求項８】
ネットワークノードから前記ＨＡＲＱペイロードの前記サイズを示すシグナリングを受信すること、
または、前記ＰＵＣＣＨフォーマットの前記選択中に前記ＳＲまたは前記Ｐ−ＣＳＩ報告のうちの前記少なくとも１つの存在を検討すべきかどうかを示すシグナリングを受信すること
をさらに備える、請求項１に記載の方法。
【請求項９】
ＰＵＣＣＨフォーマットの前記セットが、１つのＣＣのためのＰ−ＣＳＩ報告に関連する第１のＰＵＣＣＨフォーマットと２つ以上のＣＣのためのＰ−ＣＳＩ報告に関連する第２のＰＵＣＣＨとを備える、請求項１に記載の方法。
【請求項１０】
サブフレーム中で、複数のコンポーネントキャリア（ＣＣ）上での送信に関連するハイブリッド自動再送要求（ＨＡＲＱ）フィードバックを報告するためのＨＡＲＱペイロードのサイズを検出するための手段と、
スケジューリング要求（ＳＲ）、周期的チャネル状態情報（Ｐ−ＣＳＩ）報告、またはそれらの組合せのうちの少なくとも１つが前記サブフレーム中に含まれるべきであると決定するための手段と、
アップリンク制御メッセージのサイズとしきい値との比較に少なくとも部分的に基づいて物理アップリンク制御チャネル（ＰＵＣＣＨ）フォーマットのセットからＰＵＣＣＨフォーマットを選択するための手段と、ここにおいて、前記アップリンク制御メッセージが、前記ＨＡＲＱペイロードと前記ＳＲまたは前記Ｐ−ＣＳＩ報告のうちの少なくとも１つのためのペイロードとを備える、
前記選択されたＰＵＣＣＨフォーマットを使用して前記サブフレーム中で前記アップリンク制御メッセージを送信するための手段と
を備える、モバイルデバイス。
【請求項１１】
前記ＰＵＣＣＨフォーマットを選択するための前記手段は、前記アップリンク制御メッセージの前記サイズが前記しきい値よりも大きいとき、ＰＵＣＣＨフォーマットの前記セットからの少なくとも１つの他のＰＵＣＣＨフォーマットよりも大きい容量を有するＰＵＣＣＨフォーマットを選択するように動作可能である、請求項１０に記載のモバイルデバイス。
【請求項１２】
前記ＵＥのために構成された２つ以上のＣＣのためのＰ−ＣＳＩ報告で前記ＨＡＲＱペイロードを多重化するための手段、ここにおいて、ＳＲまたはＰ−ＣＳＩ報告のうちの少なくとも１つが、前記サブフレーム中に含まれるべきであると決定するための前記手段が、前記ＵＥのために構成された前記２つ以上のＣＣのための前記Ｐ−ＣＳＩ報告を識別するように動作可能である、
をさらに備える、請求項１０に記載のモバイルデバイス。
【請求項１３】
ネットワークノードから前記ＨＡＲＱペイロードの前記サイズを示すシグナリングを受信するための手段
をさらに備える、
または、前記ＰＵＣＣＨフォーマットの前記選択中に前記ＳＲまたは前記Ｐ−ＣＳＩ報告のうちの前記少なくとも１つの存在を検討すべきかどうかを示すシグナリングを受信するための手段
をさらに備える、請求項１０に記載のモバイルデバイス。
【請求項１４】
前記アップリンク制御メッセージが、複数のセルグループのうちのセルグループに関連付けられる、請求項１に記載の方法または請求項１０に記載のモバイルデバイス。
【請求項１５】
請求項１〜請求項９のうちのいずれか一項に記載の方法を実行するための命令を備える、コンピュータプログラム。
【手続補正２】
【補正対象書類名】明細書
【補正対象項目名】０１３３
【補正方法】変更
【補正の内容】
【０１３３】
[0139]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
[Ｃ１]  ワイヤレス通信の方法であって、
サブフレーム中で、複数のコンポーネントキャリア（ＣＣ）上での送信に関連するハイブリッド自動再送要求（ＨＡＲＱ）フィードバックを報告するためのＨＡＲＱペイロードのサイズを検出することと、
スケジューリング要求（ＳＲ）、周期的チャネル状態情報（Ｐ−ＣＳＩ）報告、またはそれらの組合せのうちの少なくとも１つが前記サブフレーム中に含まれるべきであると決定することと、
アップリンク制御メッセージのサイズとしきい値との比較に少なくとも部分的に基づいて物理アップリンク制御チャネル（ＰＵＣＣＨ）フォーマットのセットからＰＵＣＣＨフォーマットを選択することと、ここにおいて、前記アップリンク制御メッセージが、前記ＨＡＲＱペイロードと前記ＳＲまたは前記Ｐ−ＣＳＩ報告のうちの少なくとも１つのためのペイロードとを備える、
前記選択されたＰＵＣＣＨフォーマットを使用して前記サブフレーム中で前記アップリンク制御メッセージを送信することと
を備える、方法。
[Ｃ２]  ＰＵＣＣＨフォーマットの前記セットが、１つのＣＣのためのＨＡＲＱフィードバックを報告することに関連するＰＵＣＣＨフォーマットの第１のセット、最大５つのＣＣのためのＨＡＲＱフィードバックを報告することに関連するＰＵＣＣＨフォーマットの第２のセット、または６つ以上のＣＣのためのＨＡＲＱフィードバックを報告することに関連するＰＵＣＣＨフォーマットの第３のセットを備える、Ｃ１に記載の方法。
[Ｃ３]  前記アップリンク制御メッセージの前記サイズが前記しきい値よりも大きいとき、前記ＰＵＣＣＨフォーマットを選択することが、ＰＵＣＣＨフォーマットの前記セットからの少なくとも１つの他のＰＵＣＣＨフォーマットよりも大きい容量を有するＰＵＣＣＨフォーマットを選択することを備える、Ｃ１に記載の方法。
[Ｃ４]  前記しきい値が、２２ビットのサイズを有する、Ｃ３に記載の方法。
[Ｃ５]  前記ＵＥのために構成された２つ以上のＣＣのためのＰ−ＣＳＩ報告で前記ＨＡＲＱペイロードを多重化すること、ここにおいて、ＳＲまたはＰ−ＣＳＩ報告のうちの少なくとも１つが、前記サブフレーム中に含まれるべきであると決定することが、前記ＵＥのために構成された前記２つ以上のＣＣのための前記Ｐ−ＣＳＩ報告を識別することを備える、  をさらに備える、Ｃ１に記載の方法。
[Ｃ６]  前記ＳＲが存在すると決定され、前記アップリンク制御メッセージが、前記ＨＡＲＱペイロードと前記ＳＲのためのペイロードとを備える、Ｃ１に記載の方法。
[Ｃ７]  前記ＳＲおよび前記Ｐ−ＣＳＩ報告が存在すると決定され、前記アップリンク制御メッセージが、前記ＨＡＲＱペイロードと、前記ＳＲのためのペイロードと、前記Ｐ−ＣＳＩ報告のためのペイロードとを備える、Ｃ１に記載の方法。
[Ｃ８]  前記Ｐ−ＣＳＩ報告が、前記ＵＥのために構成されたＣＣのための複数のＰ−ＣＳＩプロセスからの少なくとも１つのＰ−ＣＳＩプロセスからの報告、前記ＵＥのために構成されたＣＣのための複数のＰ−ＣＳＩサブフレームセットからの少なくとも１つのＰ−ＣＳＩサブフレームセットのためのＰ−ＣＳＩプロセスからの報告、またはそれらの組合せを備える、Ｃ１に記載の方法。
[Ｃ９]  前記ＳＲまたは前記Ｐ−ＣＳＩ報告のうちの少なくとも１つが前記サブフレーム中に含まれるべきであると決定することが、
Ｐ−ＣＳＩ報告のセットからのＰ−ＣＳＩ報告のサブセットを報告することを決定すること
を備える、Ｃ１に記載の方法。
[Ｃ１０]  Ｐ−ＣＳＩ報告のセットからのＰ−ＣＳＩ報告のサブセットを報告することを決定することが、
Ｐ−ＣＳＩ報告タイプ、前記ＵＥのために構成されたＣＣ内でまたは前記ＵＥのために構成されたＣＣにわたって実行される優先度付け、あるいはそれらの組合せに基づいてＰ−ＣＳＩ報告に優先度を付けること
を備える、Ｃ９に記載の方法。
[Ｃ１１]  Ｐ−ＣＳＩ報告のセットからのＰ−ＣＳＩ報告のサブセットを報告することを決定することが、
Ｐ−ＣＳＩ報告タイプに基づいて優先度を付け、その後、ＣＳＩプロセス識別情報に基づいて優先度を付け、その後、ＣＣインデックスに基づいて優先度を付け、その後、サブフレームセットインデックスに基づいて優先度を付けること
を備える、Ｃ９に記載の方法。
[Ｃ１２]  ネットワークノードから前記ＨＡＲＱペイロードの前記サイズを示すシグナリングを受信すること
をさらに備える、Ｃ１に記載の方法。
[Ｃ１３]  前記ＰＵＣＣＨフォーマットの前記選択中に前記ＳＲまたは前記Ｐ−ＣＳＩ報告のうちの前記少なくとも１つの存在を検討すべきかどうかを示すシグナリングを受信すること  をさらに備える、Ｃ１に記載の方法。
[Ｃ１４]  ＰＵＣＣＨフォーマットの前記セットが、１つのＣＣのためのＰ−ＣＳＩ報告に関連する第１のＰＵＣＣＨフォーマットと２つ以上のＣＣのためのＰ−ＣＳＩ報告に関連する第２のＰＵＣＣＨとを備える、Ｃ１に記載の方法。
[Ｃ１５]  前記アップリンク制御メッセージが、複数のセルグループのうちのセルグループに関連付けられる、Ｃ１に記載の方法。
[Ｃ１６]  ワイヤレス通信の方法であって、
同じ送信時間間隔（ＴＴＩ）中の複数の周期的チャネル状態情報（Ｐ−ＣＳＩ）報告の送信をサポートする構成を受信することと、ここにおいて、前記Ｐ−ＣＳＩ報告が、チャネル状態情報（ＣＳＩ）プロセスの複数のサブフレームセットのためのＰ−ＣＳＩ報告のうちの２つ以上、コンポーネントキャリア（ＣＣ）の複数のＣＳＩプロセスのためのＰ−ＣＳＩ報告、またはキャリアアグリゲーション（ＣＡ）構成の複数のＣＣのためのＰ−ＣＳＩ報告に関連付けられる、
２つ以上のＰ−ＣＳＩ報告が前記ＴＴＩ中に送信予定であると決定することと、
優先度付けルールに従って前記ＴＴＩ中に前記Ｐ−ＣＳＩ報告のうちの少なくとも１つを送信することと
を備える、方法。
[Ｃ１７]  前記優先度付けルールが、物理アップリンク制御チャネル（ＰＵＣＣＨ）フォーマットのペイロード容量または前記２つ以上のＰ−ＣＳＩ報告のペイロードサイズに少なくとも部分的に基づく、Ｃ１６に記載の方法。
[Ｃ１８]  前記複数のＰ−ＣＳＩ報告の送信をサポートする前記構成が、多地点協調（ＣｏＭＰ）構成、１つまたは複数のＰＵＣＣＨグループを用いるＣＡ構成、デュアル接続性構成、または干渉緩和およびトラフィック適応（ＩＭＴＡ）構成のうちの少なくとも１つを備える、Ｃ１６に記載の方法。
[Ｃ１９]  前記優先度付けルールが、ＣＳＩタイプ、その後、ＣＳＩプロセス識別情報（ＩＤ）、その後、ＣＣインデックス、その後、サブフレームセットインデックスによる優先度付けを備える、Ｃ１６に記載の方法。
[Ｃ２０]  前記ＣＡ構成が、６つ以上のＣＣの構成を備える、Ｃ１６に記載の方法。
[Ｃ２１]  サブフレーム中で、複数のコンポーネントキャリア（ＣＣ）上での送信に関連するハイブリッド自動再送要求（ＨＡＲＱ）フィードバックを報告するためのＨＡＲＱペイロードのサイズを検出するための手段と、
スケジューリング要求（ＳＲ）、周期的チャネル状態情報（Ｐ−ＣＳＩ）報告、またはそれらの組合せのうちの少なくとも１つが前記サブフレーム中に含まれるべきであると決定するための手段と、
アップリンク制御メッセージのサイズとしきい値との比較に少なくとも部分的に基づいて物理アップリンク制御チャネル（ＰＵＣＣＨ）フォーマットのセットからＰＵＣＣＨフォーマットを選択するための手段と、ここにおいて、前記アップリンク制御メッセージが、前記ＨＡＲＱペイロードと前記ＳＲまたは前記Ｐ−ＣＳＩ報告のうちの少なくとも１つのためのペイロードとを備える、
前記選択されたＰＵＣＣＨフォーマットを使用して前記サブフレーム中で前記アップリンク制御メッセージを送信するための手段と
を備える、モバイルデバイス。
[Ｃ２２]  前記ＰＵＣＣＨフォーマットを選択するための前記手段は、前記アップリンク制御メッセージの前記サイズが前記しきい値よりも大きいとき、ＰＵＣＣＨフォーマットの前記セットからの少なくとも１つの他のＰＵＣＣＨフォーマットよりも大きい容量を有するＰＵＣＣＨフォーマットを選択するように動作可能である、Ｃ２１に記載のモバイルデバイス。
[Ｃ２３]  前記ＵＥのために構成された２つ以上のＣＣのためのＰ−ＣＳＩ報告で前記ＨＡＲＱペイロードを多重化するための手段、ここにおいて、ＳＲまたはＰ−ＣＳＩ報告のうちの少なくとも１つが、前記サブフレーム中に含まれるべきであると決定するための前記手段が、前記ＵＥのために構成された前記２つ以上のＣＣのための前記Ｐ−ＣＳＩ報告を識別するように動作可能である、
をさらに備える、Ｃ２１に記載のモバイルデバイス。
[Ｃ２４]  ネットワークノードから前記ＨＡＲＱペイロードの前記サイズを示すシグナリングを受信するための手段
をさらに備える、Ｃ２１に記載のモバイルデバイス。
[Ｃ２５]  前記ＰＵＣＣＨフォーマットの前記選択中に前記ＳＲまたは前記Ｐ−ＣＳＩ報告のうちの前記少なくとも１つの存在を検討すべきかどうかを示すシグナリングを受信するための手段
をさらに備える、Ｃ２１に記載のモバイルデバイス。
[Ｃ２６]  前記アップリンク制御メッセージが、複数のセルグループのうちのセルグループに関連付けられる、Ｃ２１に記載のモバイルデバイス。
[Ｃ２７]  ワイヤレス通信のためのモバイルデバイスであって、
同じ送信時間間隔（ＴＴＩ）中の複数の周期的チャネル状態情報（Ｐ−ＣＳＩ）報告の送信をサポートする構成を受信するための手段と、ここにおいて、前記Ｐ−ＣＳＩ報告が、チャネル状態情報（ＣＳＩ）プロセスの複数のサブフレームセットのためのＰ−ＣＳＩ報告のうちの２つ以上、コンポーネントキャリア（ＣＣ）の複数のＣＳＩプロセスのためのＰ−ＣＳＩ報告、またはキャリアアグリゲーション（ＣＡ）構成の複数のＣＣのためのＰ−ＣＳＩ報告に関連付けられる、
２つ以上のＰ−ＣＳＩ報告が前記ＴＴＩ中に送信予定であると決定するための手段と、  優先度付けルールに従って前記ＴＴＩ中に前記Ｐ−ＣＳＩ報告のうちの少なくとも１つを送信するための手段と
を備える、モバイルデバイス。
[Ｃ２８]  前記優先度付けルールが、物理アップリンク制御チャネル（ＰＵＣＣＨ）フォーマットのペイロード容量または前記２つ以上のＰ−ＣＳＩ報告のペイロードサイズに少なくとも部分的に基づいて実行される、Ｃ２７に記載のモバイルデバイス。
[Ｃ２９]  前記複数のＰ−ＣＳＩ報告の送信をサポートする前記構成が、多地点協調（ＣｏＭＰ）構成、１つまたは複数のＰＵＣＣＨグループを用いるＣＡ構成、デュアル接続性構成、または干渉緩和およびトラフィック適応（ＩＭＴＡ）構成のうちの少なくとも１つを備える、Ｃ２７に記載のモバイルデバイス。
[Ｃ３０]  前記優先度付けルールが、ＣＳＩタイプ、その後、ＣＳＩプロセス識別情報（ＩＤ）、その後、ＣＣインデックス、その後、サブフレームセットインデックスに優先度を付けることを備える、Ｃ２７に記載のモバイルデバイス。